(57)【要約】  ドアが戸尻側に向かって開くドア開行程の所定の範囲内で、戸尻側に人および物を検知するための検知領域が設定されている第１センサが人または物の検知状態となったときに所定の動作を行う自動ドアであって、検知領域は、戸尻側近傍のみに設定されている。
2018043511.tif 000002
【特許請求の範囲】
【請求項１】
ドアが戸尻側に向かって開くドア開行程の所定の範囲内で、前記戸尻側に人および物を検知するための検知領域が設定されている第１センサが人または物の検知状態となったときに所定の動作を行う自動ドアであって、
前記検知領域は、前記戸尻側近傍のみに設定されている、自動ドア。
【請求項２】
前記検知領域は可変である、請求項１に記載の自動ドア。
【請求項３】
前記検知領域は、ドアの速度、加速度、又は重量、若しくはこれらの２つ以上の組み合わせに応じて可変である、請求項２に記載の自動ドア。
【請求項４】
前記検知領域は、ドアの設置環境に応じて可変である、請求項２又は３に記載の自動ドア。
【請求項５】
前記検知領域は、前記戸尻の位置に応じて可変である、請求項２乃至４のいずれか一項に記載の自動ドア。
【請求項６】
前記検知領域は、前記戸尻の衝撃吸収度に応じて可変である、請求項２乃至５のいずれか一項に記載の自動ドア。
【請求項７】
前記検知領域は、前記戸尻側に向かって開く前記ドアの開方向における進行方向前方、又は前記ドア面に垂直な正面方向、若しくはこれらの両方に可変である、請求項２乃至６のいずれか一項に記載の自動ドア。
【請求項８】
前記検知領域は、前記戸尻側に進行する人の速度、又は大きさ、若しくはこれらの両方に応じて、前記ドアの進行方向前方、又は正面方向、若しくはこれらの両方に可変である、請求項７に記載の自動ドア。
【請求項９】
前記検知領域は、高さ方向に可変である、請求項２乃至８のいずれか一項に記載の自動ドア。
【請求項１０】
前記所定の動作は、前記第１センサが人または物の検知状態となっていないときの通常速度より低速での開方向へのドアの駆動、又はドアの停止である、請求項１乃至９のいずれか一項に記載の自動ドア。
【請求項１１】
前記所定の動作は、前記ドアの開口部を通行する人の通行状況に応じて、前記ドアの停止、低速での前記戸尻と反対側に向かって閉じる前記ドアの閉方向への前記ドアの駆動、及び通常速度での前記閉方向への前記ドアの駆動のいずれかを行うことである、請求項１乃至９のいずれか一項に記載の自動ドア。
【請求項１２】
前記所定の動作は、前記第１センサ、又はドアの通行者を検知するための第２センサ、若しくはこれらの両方の検知状況に応じて、前記ドアの停止、前記低速での閉方向へのドアの駆動、及び前記通常速度での閉方向へのドアの駆動のいずれかを行うことである、請求項１１に記載の自動ドア。
【請求項１３】
前記ドア開行程の所定の範囲は、前記ドア開行程の全行程である、請求項１乃至１２のいずれか一項に記載の自動ドア。
【請求項１４】
前記ドア開行程の所定の範囲は、前記ドア開行程のうち壁から所定範囲内である、請求項１乃至１２のいずれか一項に記載の自動ドア。
【請求項１５】
戸尻側に検知領域が設定される自動ドアセンサであって、
前記検知領域は、前記戸尻側近傍のみに設定される、自動ドアセンサ。
【請求項１６】
第１センサの検知領域を、戸尻側近傍のみに設定し、
ドア位置を取得し、
前記取得されたドア位置が、前記ドアが前記戸尻側に向かって開くドア開行程の所定の範囲内にある場合に、前記第１センサの検知状況に応じて所定の動作を行う、自動ドアの開閉方法。
【発明の詳細な説明】
【技術分野】
【０００１】
本発明は、自動ドア、自動ドアセンサおよび自動ドアの開閉方法に関する。
【背景技術】
【０００２】
近年、自動ドアの安全基準が強化されつつあり、ドアの閉動作時の安全性だけでなく開動作時の安全性についても一定の基準が定められようとしている。開動作時の安全性に関する技術として、例えば、ＪＰ２００３−１９３７４５Ａには、引戸の固定側全体を検知エリアとするセンサを配置し、センサが物体を検知した際にドアを低速度で開動作させる自動ドアが開示されている。【０００３】
しかしながら、ＪＰ２００３−１９３７４５Ａの自動ドアは、引戸の固定側の広い範囲が検知エリアとなっているため、実際には衝突の危険の無い場合にまでドアが低速度で開動作することになり、通行性を悪化させるといった問題があった。
【発明の開示】
【０００４】
本発明は、このような点を考慮してなされたものであり、開動作時の安全性と通行性とを両立させることができる自動ドア、自動ドアセンサおよび自動ドアの開閉方法を提供することを目的とする。
【０００５】
本発明は、ドアが戸尻側に向かって開くドア開行程の所定の範囲内で、前記戸尻側に人および物を検知するための検知領域が設定されている第１センサが人または物の検知状態となったときに所定の動作を行う自動ドアであって、前記検知領域は、前記戸尻側近傍のみに設定されている、自動ドアである。
【０００６】
本発明による自動ドアにおいて、前記検知領域は可変であってもよい。
【０００７】
本発明による自動ドアにおいて、前記検知領域は、ドアの速度、加速度、又は重量、若しくはこれらの２つ以上の組み合わせに応じて可変であってもよい。
【０００８】
本発明による自動ドアにおいて、前記検知領域は、ドアの設置環境に応じて可変であってもよい。
【０００９】
本発明による自動ドアにおいて、前記検知領域は、前記戸尻の位置に応じて可変であってもよい。
【００１０】
本発明による自動ドアにおいて、前記検知領域は、前記戸尻の衝撃吸収度に応じて可変であってもよい。
【００１１】
本発明による自動ドアにおいて、前記検知領域は、前記戸尻側に向かって開く前記ドアの開方向における進行方向前方、又は前記ドア面に垂直な正面方向、若しくはこれらの両方に可変であってもよい。
【００１２】
本発明による自動ドアにおいて、前記検知領域は、前記戸尻側に進行する人の速度、又は大きさ、若しくはこれらの両方に応じて、前記ドアの進行方向前方、又は正面方向、若しくはこれらの両方に可変であってもよい。
【００１３】
本発明による自動ドアにおいて、前記検知領域は、高さ方向に可変であってもよい。
【００１４】
本発明による自動ドアにおいて、前記所定の動作は、前記第１センサが人または物の検知状態となっていないときの通常速度より低速での開方向へのドアの駆動、又はドアの停止であってもよい。
【００１５】
本発明による自動ドアにおいて、前記所定の動作は、前記ドアの開口部を通行する人の通行状況に応じて、前記ドアの停止、低速での前記戸尻と反対側に向かって閉じる前記ドアの閉方向への前記ドアの駆動、及び通常速度での前記閉方向への前記ドアの駆動のいずれかを行うことであってもよい。
【００１６】
本発明による自動ドアにおいて、前記所定の動作は、前記第１センサ、又はドアの通行者を検知するための第２センサ、若しくはこれらの両方の検知状況に応じて、前記ドアの停止、前記低速での閉方向へのドアの駆動、及び前記通常速度での閉方向へのドアの駆動のいずれかを行うことであってもよい。
【００１７】
本発明による自動ドアにおいて、前記ドア開行程の所定の範囲は、前記ドア開行程の全行程であってもよい。
【００１８】
本発明による自動ドアにおいて、前記ドア開行程の所定の範囲は、前記ドア開行程のうち壁から所定範囲内であってもよい。
【００１９】
本発明は、戸尻側に検知領域が設定される自動ドアセンサであって、前記検知領域は、前記戸尻側近傍のみに設定される、自動ドアセンサである。
【００２０】
本発明は、第１センサの検知領域を、戸尻側近傍のみに設定し、ドア位置を取得し、前記取得されたドア位置が、前記ドアが前記戸尻側に向かって開くドア開行程の所定の範囲内にある場合に、前記第１センサの検知状況に応じて所定の動作を行う、自動ドアの開閉方法である。
【００２１】
本発明によれば、開動作時の安全性と通行性とを両立させることができる。
【図面の簡単な説明】
【００２２】
【図１】本実施形態による自動ドアを示すブロック図である。
【図２】本実施形態による自動ドアを示す斜視図である。
【図３】本実施形態による自動ドアの動作例を示すフローチャートである。
【図４】本実施形態による自動ドアの動作例において、補助側有効検知エリアの設定工程を示すフローチャートである。
【図５】本実施形態による自動ドアの動作例において、補助側有効検知エリアの設定例を示す図である。
【図６】本実施形態の第１の変形例による自動ドアの動作例において、補助側有効検知エリアの設定例を示す図である。
【図７】本実施形態の第２の変形例による自動ドアの動作例において、補助側有効検知エリアの設定例を示す図である。
【図８】本実施形態の第３の変形例による自動ドアの動作例において、補助側有効検知エリアの設定例を示す図である。
【図９】本実施形態の第４の変形例による自動ドアの動作例において、補助側有効検知エリアの設定例を示す図である。
【図１０】本実施形態の第５の変形例による自動ドアの動作例において、補助側有効検知エリアの設定例を示す図である。
【図１１】本実施形態の第６の変形例による自動ドアの動作例において、補助側有効検知エリアの設定例を示す図である。
【図１２】本実施形態の第７の変形例による自動ドアの動作例において、補助側有効検知エリアの設定例を示す図である。
【図１３】本実施形態の第８の変形例による自動ドアの動作例において、補助側有効検知エリアの設定例を示す図である。
【図１４】本実施形態の第９の変形例による自動ドアの動作例において、補助側有効検知エリアの設定例を示す図である。
【図１５】図１４に続く本実施形態の第９の変形例による自動ドアの動作例において、補助側有効検知エリアの設定例を示す図である。
【図１６】本実施形態の第１０の変形例による自動ドアの動作例において、補助側有効検知エリアの設定例を示す図である。
【図１７】本実施形態の第１１の変形例による自動ドアを示すブロック図である。
【図１８】本実施形態の第１２の変形例による自動ドアを示すブロック図である。
【図１９】本実施形態の第１２の変形例による自動ドアの動作例において、補助側有効検知エリアの設定例を示す図である。
【発明を実施するための形態】
【００２３】
以下、本発明の実施形態に係る自動ドアについて、図面を参照しながら詳細に説明する。なお、以下に示す実施形態は、本発明の実施形態の一例であって、本発明はこれらの実施形態に限定して解釈されるものではない。また、本実施形態で参照する図面において、同一部分または同様な機能を有する部分には同一の符号または類似の符号を付し、その繰り返しの説明は省略する。また、図面の寸法比率は、説明の都合上、実際の比率とは異なる場合があり、また、構成の一部が図面から省略される場合がある。
【００２４】
図１は、本実施形態による自動ドア１を示すブロック図である。図２は、本実施形態による自動ドア１を示す斜視図である。図１に示すように、自動ドア１は、自動ドア装置２と、第２センサの一例である起動センサ部３と、第１センサの一例である補助センサ部４とを備える。自動ドア装置２は、モータ２１と、駆動制御部２２と、安全制御部２３とを備える。
【００２５】
自動ドア１は、図２に示すドア５の開口部を通行しようとする通行者を起動センサ部３で検知し、起動センサ部３の検知に応じて、通行者を通行させるためにドア５を開動作させる。以下、ドア５の開口部の通行者のことを、ドア５の通行者と呼ぶこともある。また、自動ドア１は、ドア５の開動作時における戸尻５ａ側の安全性を確保するため、ドア５の戸尻５ａ側に存在する人を補助センサ部４で検知する。そして、自動ドア１は、補助センサ部４の検知に応じて、戸尻５ａ側の安全性を確保するためのドア安全動作すなわち所定の動作を実行する。以下、このような自動ドア１の構成を更に詳述する。
【００２６】
（自動ドア装置２）
自動ドア装置２のモータ２１は、図示しない電源の電力を供給されることで、ドア５を自動で開閉するための回転力を発生させる。モータ２１の回転力は、図示しないプーリやタイミングベルトなどの動力伝達部材を介して図２に示す開閉方向ｄ１への並進力としてドア５に伝達される。図２の例において、２つのドア５は、固定部８側に向かってスライドすることで開動作を行い、固定部８から離反する側に向かってスライドすることで閉動作を行う引き分けタイプの引戸である。ドア５の態様は図２の例に限定されず、例えば、片引きタイプ、開き戸タイプ、折り戸タイプ、グライドドアなどの様々な態様のドアを採用してもよい。
【００２７】
駆動制御部２２は、モータ２１、起動センサ部３および安全制御部２３に接続されている。駆動制御部２２は、起動センサ部３、安全制御部２３およびモータ２１から取得された情報または信号に基づいて、電力供給の制御によるモータ２１の駆動制御を行う。モータ２１の駆動制御は、モータ２１の駆動の有無、駆動速度、駆動トルクおよび回転方向の少なくとも１つまたはこれらの２つ以上の組み合わせの制御である。
【００２８】
具体的には、駆動制御部２２は、起動センサ部３から、後述する起動センサ部３の有効検知エリア（以下、起動側有効検知エリアともいう）内の通行者の検知状況を取得する。検知状況とは、通行者（すなわち、人）の検知の有無を示す状況である。後述するように、検知状況は、例えば、小検知エリア３１、４１による受光量に応じた検出信号として取得される。検知状況は、例えば、検出信号が後述する人の検知の閾値に達しているか否かに応じて、有効検知エリア内に通行者が検知された検知状態と判断される場合もあり、または、検知状態でないと判断される場合もある。検知状況は、人に限らず、人以外の物（例えば、荷物や動物等）の検知の有無を示す状況であってもよい。駆動制御部２２は、取得された検知状況に基づいて起動側有効検知エリア内の通行者を検知した場合、ドア５を開方向に通常速度で駆動（以下、通常開駆動ともいう）する駆動制御を行う。通常速度は、補助センサ部４が人または物の検知状態となっていないときのドア５の速度ということもできる。
【００２９】
また、駆動制御部２２は、モータ２１からドア５の位置を示す位置信号を取得し、取得された位置信号に基づいてモータ２１を駆動制御する。位置信号は、ドア５の位置を検知できるのであれば具体的な態様は特に限定されない。例えば、位置信号は、モータ２１のホール素子の位相をもとに生成される。なお、位置信号は、モータ２１の回転を検知する回転エンコーダ、またはドア５の開閉位置を検知するために設けられるリニアエンコーダに基づく信号であってもよい。
【００３０】
また、駆動制御部２２は、安全制御部２３から、既述したドア安全動作の指令を取得する。駆動制御部２２は、ドア安全動作の指令に応じたモータ２１の駆動制御を行うことで、ドア安全動作を実行する。ドア安全動作は、例えば、通常速度より低速度での開方向へのドア５の駆動（以下、低速開駆動ともいう）である。特に低速度はドア５の重量とドア５の実速度に基づき算出される運動エネルギが所定以下になるように、予め駆動制御部２２の制御パラメータとして設定されるものである。ドア安全動作は、ドア５の停止、又は通常速度での戸尻５ａと反対側に向かって閉じるドア５の閉方向へのドア５の駆動（以下、通常閉駆動ともいう）であってもよい。なお、ドア５の停止の場合は、戸尻側の安全を優先して即座に停止しても良いし、通路側を通行している人が急に止まったドア５にぶつからないように予め設定された減速度で減速して停止してもよい。
【００３１】
安全制御部２３は、駆動制御部２２以外にも、補助センサ部４、モータ２１および起動センサ部３に接続されている。安全制御部２３は、補助センサ部４、モータ２１および起動センサ部３から取得された情報または信号に基づいて、安全制御部２３にドア安全動作を指令する。
【００３２】
具体的には、安全制御部２３は、モータ２１から位置信号を取得する。安全制御部２３は、取得された位置信号に基づいて、検知領域の一例である後述する補助センサ部４の有効検知エリア（以下、補助側有効検知エリアともいう）を設定する。
【００３３】
なお、補助側有効検知エリアの設定は、位置信号以外の情報にも基づいてよい。また、補助側有効検知エリアの設定は、補助側有効検知エリアの情報を記憶部に記録することで行ってもよい。
【００３４】
開動作時における戸尻５ａ側の安全性と通行性とを両立するため、安全制御部２３は、戸尻５ａ側近傍のみに人を検知するための補助側有効検知エリアを設定する。補助側有効検知エリアは、人に限らず、人以外の物を検知するために設定されてもよい。近傍とは、ドア５が戸尻５ａ側に向かって開くドア５の開方向およびドア面に垂直な正面方向の少なくとも一方において戸尻５ａに隣接する所定範囲の領域である。所定範囲は、例えば、後述する１個分または２個分の補助側小検知エリア４１の大きさ（例えば、直径）に相当する範囲であってもよい。近傍のみとは、基本的に近傍以外に補助側有効検知エリアを設定することを除外する意義であるが、ドア構造や衝撃吸収度等の特定の条件に応じて例外的に補助側有効検知エリアを拡大することを除外する意義ではない。補助側有効検知エリアの設定の詳細については、後述する自動ドア１の開閉方法の実施形態で述べる。
【００３５】
補助側有効検知エリアを設定した後、安全制御部２３は、補助センサ部４から補助側有効検知エリア内に存在する人の検知状況を取得する。そして、安全制御部２３は、位置信号および補助センサ部４の検知状況に基づいて、ドア５が戸尻５ａ側に向かって開くドア開行程の所定の範囲内で補助センサ部４が人を検知した状態となったとき、駆動制御部２２にドア安全動作を指令する。ドア開行程の所定の範囲は、例えば、ドア開行程における全行程である。ドア開行程の所定の範囲は、ドア開行程における一部の行程であってもよい。
【００３６】
安全制御部２３は、起動センサ部３の検知状況すなわちドア５の開口部を通行する人（すなわち、通行者）の通行状況、又は補助センサ部４の検知状況、若しくはこれらの両方に応じて、ドア安全動作の種類を選択してもよい。例えば、安全制御部２３は、低速開駆動、停止、及び通常閉駆動のいずれかを選択してもよい。この場合に、安全制御部２３は、ドア５の通行者が検知されていないときは、通常閉駆動を選択してもよい。
【００３７】
（起動センサ部３）
図２に示すように、起動センサ部３は、自動ドア１の無目部６の中央、より具体的には、全閉状態の２枚のドア５の境界部の上方に設けられている。起動センサ部３は、天井などの無目部６以外の場所に設けられていてもよい。
【００３８】
起動センサ部３は、起動側有効検知エリアが設定されている。
【００３９】
ここで、起動側有効検知エリアとは、起動センサ部３を用いて検知可能な床面７上の領域（以下、起動側検知エリア３０ともいう）のうち、ドア５の通行者の検知のために設定された少なくとも一部の範囲の領域である。起動側有効検知エリアは、駆動制御部２２が設定してもよい。
【００４０】
図２の例において、起動側検知エリア３０は、２枚のドア５の正面においてドア５の開閉方向ｄ１およびこれに直交する前後方向ｄ２に間隔を空けて配置された複数の小検知エリア（以下、起動側小検知エリアともいう）３１で構成されている。個々の起動側小検知エリア３１は、例えば、起動センサ部３に設けられた複数の投光素子のそれぞれから投光され、複数の受光素子によってそれぞれ受光される近赤外光の照射スポットに対応している。
【００４１】
図２の例における起動側有効検知エリアは、複数の起動側小検知エリア３１のうち少なくとも１つの起動側小検知エリア３１で構成される。なお、図２の例において、各起動側小検知エリア３１は、円形状を有する。起動側小検知エリア３１は、楕円形状、矩形状および多角形状などの円形状以外の形状を有していてもよい。
【００４２】
このような起動側有効検知エリアが予め設定された状態で、起動センサ部３は、例えば、全ての投光素子に、それぞれに対応する起動側小検知エリア３１に向けて近赤外光を投光させる。そして、起動センサ部３は、各投光素子のそれぞれに対応して設けられている全ての受光素子で、各起動側小検知エリア３１からの近赤外光の反射光を受光する。そして、起動センサ部３は、起動側小検知エリア３１毎に、受光量に応じた検出信号を、起動側小検知エリア３１毎の検知状況（図１参照）として駆動制御部２２および安全制御部２３に出力する。
【００４３】
駆動制御部２２は、起動センサ部３から入力された起動側小検知エリア３１毎の検知状況のうち、予め設定された起動側有効検知エリア内の検知状況を取得すなわち抽出する。言い換えれば、駆動制御部２２は、起動側小検知エリア３１毎の検知状況のうち、起動側有効検知エリアに該当する起動側小検知エリア３１の検知状況を取得する。
【００４４】
そして、駆動制御部２２は、取得された起動側有効検知エリア内の検知状況に基づいて、通行者を検知する。例えば、駆動制御部２２は、検知状況を示す検出信号の信号値が人の検知の閾値に達しているか否かに基づいて通行者を検知する。起動側有効検知エリア内の通行者が検知された場合、すなわち、起動センサ部３が検知状態となった場合、既述したように、駆動制御部２２はドア５を開動作させる。
【００４５】
駆動制御部２２と同様に、安全制御部２３は、起動センサ部３から入力された起動側小検知エリア３１毎の検知状況のうち、予め設定された起動側有効検知エリア内の検知状況を取得する。そして、安全制御部２３は、取得された起動側有効検知エリア内の検知状況に基づいて、起動センサ部３の検知状態の有無を判断する。安全制御部２３は、起動センサ部３の検知状態を確認したうえで、補助側有効検知エリアの設定に移行する。
【００４６】
なお、起動センサ部３は、全ての投光素子に近赤外光を投光させる代わりに、起動側有効検知エリアに対応する投光素子のみに投光を行わせてもよい。この場合、近赤外光が投光された起動側小検知エリア３１の全てが起動側有効検知エリアに該当する。起動側有効検知エリアに対応する投光素子のみに投光を行わせることで、電力消費量を削減できる。また投光素子の寿命を長くすることもできる。
【００４７】
また、起動センサ部３は、起動側小検知エリア３１への近赤外光の投光以外にも、起動側小検知エリア３１への電波の発信や撮像などの方法によって起動側有効検知エリアの検知状況を取得してもよい。
【００４８】
（補助センサ部４）
図２に示すように、補助センサ部４は、起動センサ部３を挟んで無目部６に２つ設けられている。各補助センサ部４は、左右の固定部８のそれぞれの上方に位置している。
【００４９】
補助センサ部４は、補助側有効検知エリアが設定されている。
【００５０】
ここで、補助側有効検知エリアとは、補助センサ部４を用いて検知可能な床面７上の領域（以下、補助側検知エリア４０ともいう）のうち、戸尻５ａ側の人を検知するために設定された少なくとも一部の範囲の領域である。既述したように、補助側有効検知エリアは、安全制御部２３が設定する。
【００５１】
戸尻５ａ側の安全性を確保するため、補助側有効検知エリアは、ドア５の戸尻５ａ側に設定されている。
【００５２】
より具体的には、補助側有効検知エリアは、ドア５の戸尻５ａ側近傍のみに設定されている。戸尻５ａ側近傍のみに補助側有効検知エリアが設定されていることで、戸尻５ａ側の安全性と通行性とを両立させることができる。
【００５３】
また、補助側有効検知エリアは、可変である。補助側有効検知エリアを可変とする具体例については、後述する自動ドア１の開閉方法の実施形態において述べる。
【００５４】
図２の例において、補助側検知エリア４０は、２つの固定部８のそれぞれの正面において開閉方向ｄ１および前後方向ｄ２に間隔を空けて配置された複数の小検知エリア（以下、補助側小検知エリアともいう）４１で構成されている。個々の補助側小検知エリア４１は、例えば、補助センサ部４に設けられた複数の投光素子から投光される近赤外光の照射スポットに対応している。
【００５５】
図２の例における補助側有効検知エリアは、複数の補助側小検知エリア４１のうち、開方向において左右のドア５のそれぞれの戸尻５ａに最も近い左右１つずつのエリア４１Ａである。補助側有効検知エリア４１Ａの態様は図２の例に限定されない。また、図２の例において、各補助側小検知エリア４１は、円形状を有する。この場合の照射スポットの床面における直径は、例えば１０センチメートルから３０センチメートルの間の任意の値にすることができる。また、補助側小検知エリア４１は、楕円形状、矩形状、多角形状などの円形状以外の形状を有していてもよい。
【００５６】
補助センサ部４は、例えば、全ての投光素子に、それぞれに対応する補助側小検知エリア４１に向けて近赤外光を投光させる。そして、補助センサ部４は、各投光素子のそれぞれに対応して設けられている全ての受光素子で、各補助側小検知エリア４１からの近赤外光の反射光を受光する。そして、補助センサ部４は、補助側小検知エリア４１毎に、受光量に応じた検出信号を、補助側小検知エリア４１毎の検知状況（図１参照）として安全制御部２３に出力する。
【００５７】
安全制御部２３は、補助センサ部４から入力された補助側小検知エリア４１毎の検知状況のうち、戸尻５ａ側近傍のみに設定した補助側有効検知エリア４１Ａ内の検知状況を取得すなわち抽出する。なお、安全制御部２３は、補助側小検知エリア４１毎の検知状況に基づいて補助側有効検知エリア４１Ａを設定してもよい。
【００５８】
そして、安全制御部２３は、取得された補助側有効検知エリア４１Ａ内の検知状況に基づいて、人を検知する。例えば、安全制御部２３は、検知状況を示す検出信号の信号値が人の検知の閾値に達しているか否かに基づいて人を検知する。補助側有効検知エリア４１Ａ内の人が検知された場合、すなわち、補助センサ部４が人の検知状態となった場合、既述したように、安全制御部２３は駆動制御部２２にドア安全動作を指令する。補助センサ部４が人以外の物の検知状態となった場合にも、安全制御部２３は、駆動制御部２２にドア安全動作を指令してもよい。
【００５９】
なお、補助センサ部４は、全ての投光素子に近赤外光を投光させる代わりに、補助側有効検知エリア４１Ａに対応する投光素子のみに投光を行わせてもよい。この場合、近赤外光が投光された補助側小検知エリア４１の全てが補助側有効検知エリア４１Ａに該当する。補助側有効検知エリア４１Ａに対応する投光素子のみに投光を行わせることで、電力消費量を削減できる。
【００６０】
また、補助センサ部４は、補助側小検知エリア４１への近赤外光の投光以外にも、補助側小検知エリア４１への電波の発信や撮像などの方法によって補助側有効検知エリア４１Ａの検知状況を取得してもよい。
【００６１】
（自動ドアの開閉方法）
次に、自動ドア１の開閉方法について説明する。図３は、本実施形態による自動ドアの動作例を示すフローチャートである。
【００６２】
（Ｓ１〜Ｓ２：通行者検知）
先ず、図３に示すように、安全制御部２３は、起動センサ部３から入力された起動側小検知エリア３１毎の検知状況を確認する（ステップＳ１）。そして、安全制御部２３は、起動側小検知エリア３１毎の検知状況のうち、予め設定された起動側有効検知エリアの検知状況を取得する。そして、安全制御部２３は、取得された起動側有効検知エリアの検知状況に基づいて、起動センサ部３が通行者の検知状態であるか否かを判定する（ステップＳ２）。
【００６３】
（Ｓ３〜Ｓ４：戸尻側近傍のみへの補助側有効検知エリアの設定）
通行者が検知された場合（ステップＳ２：Ｙ）、安全制御部２３は、補助センサ部４から入力された補助側小検知エリア４１毎の検知状態を確認する（ステップＳ３）。一方、通行者が検知されなかった場合（ステップＳ２：Ｎ）、安全制御部２３は、起動側小検知エリア３１毎の検知状況の確認を繰り返す（ステップＳ１）。
【００６４】
補助側小検知エリア４１毎の検知状態を確認した後、安全制御部２３は、戸尻５ａ側近傍のみに補助側有効検知エリア４１Ａを設定する（ステップＳ４）。図４は、本実施形態による自動ドアの動作例において、戸尻５ａ側近傍のみへの補助側有効検知エリア４１Ａの設定工程を示すフローチャートである。
【００６５】
図４に示すように、戸尻５ａ側近傍のみへの補助側有効検知エリア４１Ａの設定において、先ず、安全制御部２３は、モータ２１の位置信号に基づいて、ドア５の位置、速度および加速度などのドア駆動状態を取得する（ステップＳ４１）。
【００６６】
ドア駆動状態が取得された後、安全制御部２３は、ドア５の重量および戸尻５ａの衝撃吸収度などのドア構造情報を取得する（ステップＳ４２）。衝撃吸収度の情報は、例えば、戸尻５ａにゴムやバンパー構造が設けられている場合やドア５自体が弾性体である場合には高い値を示す情報であってもよい。安全制御部２３は、内部メモリ、外部記憶装置またはサーバとの通信などによってドア構造情報を取得してもよい。
【００６７】
ドア構造情報が取得された後、安全制御部２３は、モータ２１の磁石の温度や、高齢者や子供の多い場所、時間帯、曜日、又は天候であるか否かを示す情報などの自動ドア１の設置環境情報を取得する（ステップＳ４３）。安全制御部２３は、内部メモリ、外部記憶装置、温度計またはサーバとの通信などによって設置環境情報を取得してもよい。
【００６８】
設置環境情報が取得された後、安全制御部２３は、図３のステップＳ３で確認された補助側小検知エリア４１毎の検知状況に基づいて、戸尻５ａに接近する人の速度、及び大きさを取得する（ステップＳ４４）。
【００６９】
戸尻５ａに接近する人の速度、及び大きさが取得された後、安全制御部２３は、取得された各情報（Ｓ４１〜Ｓ４４）に基づいて、戸尻５ａ側近傍のみに補助側有効検知エリア４１Ａを設定する（ステップＳ４５）。安全制御部２３は、各情報（Ｓ４１〜Ｓ４４）に応じて可変に補助側有効検知エリア４１Ａを設定する。
【００７０】
図５は、本実施形態による自動ドア１の動作例において、補助側有効検知エリア４１Ａの設定例を示す図である。図５の例において、安全制御部２３は、ドア５の開閉方向ｄ１に沿ってドア走行位置上に配置された左右１列ずつの補助側小検知エリア４１のうち、左右のドア５の戸尻５ａのそれぞれに最も近い１つずつのエリア４１のみを、補助側有効検知エリア４１Ａに設定している。
【００７１】
図５の例において、左右の各列の補助側小検知エリア４１の数は５つずつであるが、４つ以下ずつ、または６つ以上ずつであってもよい。また、図５の例において、各補助側小検知エリア４１は円形であるが、円形以外の形状であってもよい。
【００７２】
図５のステップＳ４０１〜ステップＳ４０４に示されるドア５の開動作の進行にともなって、モータ２１から出力される位置信号に示されるドア５の位置は変化する。安全制御部２３は、位置信号に基づいて開方向において戸尻５ａの位置に最も近い左右１つずつの補助側小検知エリア４１を判定し、判定された補助側小検知エリア４１を補助側有効検知エリア４１Ａに設定する。このようにして、戸尻５ａの位置に応じて補助側有効検知エリア４１Ａをドア５の開方向における進行方向前方に変位させることができる。
【００７３】
なお、図５の例では、図４で説明した各種の情報（Ｓ４１〜Ｓ４４）のうちドア５の位置すなわちドア駆動状態（Ｓ４１）のみが変化し、その他の情報は一定もしくは補助側有効検知エリア４１Ａの変更に影響するような変化を示していないとみなしている。ドア５の位置以外の情報（Ｓ４２〜Ｓ４４）が変化した場合、図５と異なる補助側有効検知エリア４１Ａの設定が行われてよい。
【００７４】
図５の例によれば、ドア５の変位にともなう戸尻５ａの変位に追従して戸尻５ａの近傍のみに補助側有効検知エリア４１Ａを設定できる。これにより、衝突の危険性がある戸尻５ａ近傍の検知状況に応じたドア安全動作を確保できるとともに、衝突の危険性が殆ど無い戸尻５ａ近傍以外の検知状況に応じたドア安全動作を回避できる。これにより、安全性と通行性とを両立させることができる。
【００７５】
（Ｓ５：検知判定）
以上のようにして戸尻５ａ側近傍のみへの補助側有効検知エリア４１Ａの設定を行った後、図３に示すように、安全制御部２３は、設定された補助側有効検知エリア４１Ａの検知状況に基づいて、補助センサ部４が人の検知状態になったか否かを判定する（ステップＳ５）。なお、図５の例において、図３のステップＳ３〜ステップＳ５の工程は、ドア５の開行程における全行程において行われる。
【００７６】
（Ｓ６：ドア安全動作）
補助センサ部４が検知状態となった場合（ステップＳ５：Ｙ）、安全制御部２３は、駆動制御部２２にドア安全動作の指令を出力することで、停止または低速開駆動等のドア安全動作を実行する（ステップＳ６）。低速開駆動を行う場合、安全制御部２３は、設置環境情報に応じて駆動速度を異ならせてもよい。例えば、設置環境情報が高齢者や子供の多い場所や時間帯を示す場合、安全制御部２３は、ドア５を停止させる。ドア安全動作の後、安全制御部２３は、検知判定（Ｓ５）以降の処理を繰り返す。
【００７７】
一方、補助センサ部４が検知状態でない場合（ステップＳ５：Ｎ）、安全制御部２３は、ドア安全動作を行わない。この場合、駆動制御部２２は、ドア５を通常開駆動する（ステップＳ７）。次いで、駆動制御部２２は、位置信号に基づいてドア５が全開位置に到達したか否かを判定する（ステップＳ８）。ドア５が全開位置に到達した場合（ステップＳ８：Ｙ）、駆動制御部２２は、ドア５を所定時間開放状態に維持した後、ドア５を通常閉駆動する（ステップＳ９）。一方、ドア５が全開位置に到達していない場合（ステップＳ８：Ｎｏ）、安全制御部２３は、補助側小検知エリア４１毎の検知状況の確認（ステップＳ３）以降の処理を繰り返す。
【００７８】
通常閉駆動を行った後、駆動制御部２２は、起動センサ部３から入力された起動側小検知エリア３１毎の検知状況を確認し（ステップＳ１０）、起動側有効検知エリアの検知状況を取得する。そして、駆動制御部２２は、取得された起動側有効検知エリアの検知状況に基づいて、起動センサ部３が通行者の検知状態であるか否かを判定する（ステップＳ１１）。
【００７９】
通行者が検知されなかった場合（ステップＳ１１：Ｎ）、駆動制御部２２は、位置信号に基づいてドア５が全閉位置に到達したか否かを判定する（ステップＳ１２）。一方、通行者が検知された場合（ステップＳ１１：Ｙ）、駆動制御部２２は、ドア５を停止する（ステップＳ１３）。ドア５を停止した後、ステップＳ３の処理に移行する。
【００８０】
ドア５が全閉位置に到達した場合（ステップＳ１２：Ｙ）、自動ドア装置２は、起動側小検知エリア３１毎の検知状況の確認（ステップＳ１）以降の処理を繰り返す。一方、ドア５が全閉位置に到達していない場合（ステップＳ１２：Ｎ）、駆動制御部２２は、通常閉駆動を継続する（ステップＳ９）。
【００８１】
以上述べたように、本実施形態によれば、補助側有効検知エリア４１Ａをドア５の戸尻５ａ側近傍のみに設定することで、安全性と通行性とを両立させることができる。
【００８２】
（第１の変形例）
図６は、本実施形態の第１の変形例による自動ドアの動作例において、補助側有効検知エリア４１Ａの設定例を示す図である。図６に示すように、第１の変形例の安全制御部２３は、ドア走行位置上の左右１列ずつの補助側小検知エリア４１のうち、左右の戸尻５ａのそれぞれに最も近いエリアと、その次に戸尻５ａに近いエリアとの左右２つずつのエリア４１を補助側有効検知エリア４１Ａに設定する。
【００８３】
すなわち、第１の変形例は、図５の例に対して、戸尻５ａ側に向かって開くドア５の開方向における進行方向前方に補助側有効検知エリア４１Ａを拡大すなわち変化させる。また、第１の変形例では、図５の例と同様に、ドア５の位置の変化に応じて補助側有効検知エリア４１Ａを開方向における進行方向前方に変位させる。
【００８４】
例えば、図５の例の場合よりもドア構造情報（図４のＳ４２）に示されるドア５の重量が重い場合または衝撃吸収度が小さい場合、第１の変形例を採用してもよい。これにより、戸尻５ａとの衝突による衝撃が大きい場合ほど戸尻５ａとの衝突のリスクを効果的に抑制できる。
【００８５】
なお、ドア５の衝撃吸収度が大きい場合には、補助側有効検知エリア４１Ａを縮小させてもよい。補助側有効検知エリア４１Ａを縮小させることで、通行性を向上させることができる。
【００８６】
（第２の変形例）
図７は、本実施形態の第２の変形例による自動ドア１の動作例において、補助側有効検知エリア４１Ａの設定例を示す図である。図７に示すように、第２の変形例の安全制御部２３は、図５と同様に、開閉方向ｄ１に沿って配置された左右１列ずつの補助側小検知エリア４１のうち、左右の戸尻５ａのそれぞれに最も近い１つずつのエリアのみを補助側有効検知エリア４１Ａに設定する。ただし、第２の変形例において、各列の補助側小検知エリア４１は、第５の例とは異なり、ドア５の走行位置から前方に離れた位置に配置されている。
【００８７】
第２の変形例によれば、ドア５の走行位置から離れた位置に補助側有効検知エリア４１Ａを設定することで、ドア５と人との混同を回避して人を高精度に検知できる。
【００８８】
（第３の変形例）
図８は、本実施形態の第３の変形例による自動ドア１の動作例において、補助側有効検知エリア４１Ａの設定例を示す図である。図８に示すように、第３の変形例の安全制御部２３は、開閉方向ｄ１に沿ってドア走行位置上およびその前方に配置された左右２列ずつの補助側小検知エリア４１のうち、戸尻５ａに最も近い各列１つずつのエリアを補助側有効検知エリア４１Ａに設定する。
【００８９】
すなわち、第３の変形例は、図５の例に対して、ドア面に垂直なドア５の正面方向（法線方向前方）に補助側有効検知エリア４１Ａを拡大する。
【００９０】
第３の変形例によれば、図５の例よりもドア５の正面方向から戸尻５ａに接近する人をいちはやく検知できるので、通行性を確保しつつ安全性を更に高めることができる。
【００９１】
（第４の変形例）
図９は、本実施形態の第４の変形例による自動ドア１の動作例において、補助側有効検知エリア４１Ａの設定例を示す図である。図９に示すように、第４の変形例の安全制御部２３は、第３の変形例で説明した左右２列ずつの補助側小検知エリア４１のうち、ドア５側に位置する１列目の補助側小検知エリア４１の戸尻５ａ側から数えて２つ分のエリアを補助側有効検知エリア４１Ａに設定する。また、図９に示すように、第４の変形例の安全制御部２３は、２列目の補助側小検知エリア４１の戸尻５ａに最も近いエリアも補助側有効検知エリア４１Ａに設定する。
【００９２】
第４の変形例によれば、戸尻５ａからの距離がほぼ等しい扇状の領域を補助側有効検知エリア４１Ａに設定できるので、戸尻５ａに対して様々な方向から接近する人を迅速に検知できる。これにより、通行性を確保しつつ、図５の例よりも更に安全性を高めることができる。なお、補助側有効検知エリア４１Ａは戸尻５ａからの距離がほぼ等しい扇状の領域のほか、補助側有効検知エリア４１Ａの戸尻５ａ側の大きさのほうがドア５の法線方向側の大きさよりも大きい扇状の領域であっても良い。戸尻５ａ側を拡大しながら、ドア５の法線方向は拡大しないので、通行性を維持しつつ、安全性を更に高めることができる。
【００９３】
（第５の変形例）
図１０は、本実施形態の第５の変形例による自動ドア１の動作例において、補助側有効検知エリア４１Ａの設定例を示す図である。図１０に示すように、第５の変形例のドア５は、停止状態からの開動作の進行にともなって順に、加速状態（ステップＳ４０１）、高速状態（ステップＳ４０２）、減速状態（ステップＳ４０３）および低速状態（ステップＳ４０４）となる。このようなドア５の速度変化は、駆動制御部２２の駆動制御によって行われる。
【００９４】
第５の変形例の安全制御部２３は、停止〜加速状態（ステップＳ４０１）のとき、図５の例で説明した左右１列ずつの補助側小検知エリア４１のうち、左右の戸尻５ａのそれぞれに最も近い１つずつのエリアのみを補助側有効検知エリア４１Ａに設定する。
【００９５】
また、第５の変形例の安全制御部２３は、高速状態（ステップＳ４０２）のとき、戸尻５ａに対して開方向前方に存在する全ての補助側小検知エリア４１を補助側有効検知エリア４１Ａに設定する。
【００９６】
また、第５の変形例の安全制御部２３は、減速状態（ステップＳ４０３）のときにも、戸尻５ａに対して開方向前方に存在する全ての補助側小検知エリア４１を補助側有効検知エリア４１Ａに設定する。
【００９７】
また、第５の変形例の安全制御部２３は、低速状態のとき、補助側有効検知エリア４１Ａを設定しない。
【００９８】
すなわち、第５の変形例の安全制御部２３は、ドア５の速度に応じて開方向前方に補助側有効検知エリア４１Ａを変化させる。
【００９９】
第５の変形例によれば、ドア５との衝突による衝撃力が大きい速度期間（ステップＳ４０２、Ｓ４０３）に補助側有効検知エリア４１Ａを拡大し、衝撃力が小さい速度期間（ステップＳ４０１、Ｓ４０４）に補助側有効検知エリア４１Ａを縮小できる。これにより、図５の例よりも更に効果的に安全性と通行性とを両立させることができる。
【０１００】
（第６の変形例）
図１１は、本実施形態の第６の変形例による自動ドア１の動作例において、補助側有効検知エリア４１Ａの設定例を示す図である。
【０１０１】
図１１に示すように、第６の変形例の安全制御部２３は、停止〜加速状態（ステップＳ４０１）のとき、左右２列ずつの補助側小検知エリア４１のうち、１列目の戸尻５ａに最も近い１つずつのエリアのみを補助側有効検知エリア４１Ａに設定する。
【０１０２】
また、第６の変形例の安全制御部２３は、高速状態（ステップＳ４０２）のとき、各列の補助側小検知エリア４１のうち、戸尻５ａに対して開方向前方に存在する全ての補助側小検知エリアを補助側有効検知エリア４１Ａに設定する。
【０１０３】
また、第６の変形例の安全制御部２３は、減速状態（ステップＳ４０３）のときに、１列目の補助側小検知エリア４１のうち、戸尻５ａに対して開方向前方に存在する全ての補助側小検知エリアを補助側有効検知エリア４１Ａに設定する。このとき、２列目の補助側小検知エリア４１は補助側有効検知エリア４１Ａに設定しない。
【０１０４】
また、第６の変形例の安全制御部２３は、低速状態（ステップＳ４０４）のとき、補助側有効検知エリア４１Ａを設定しない。
【０１０５】
すなわち、第６の変形例では、ドア５の速度に応じて開方向前方およびドア５の正面方向に補助側有効検知エリア４１Ａを変化させる。
【０１０６】
第６の変形例によれば、ドア５との衝突による衝撃力が最も大きい速度期間（ステップＳ４０２）に補助側有効検知エリア４１Ａを最も拡大することで、通行性を確保しつつ、図５の例よりも更に安全性を向上できる。
【０１０７】
（第７の変形例）
図１２は、本実施形態の第７の変形例による自動ドア１の動作例において、補助側有効検知エリア４１Ａの設定例を示す図である。
【０１０８】
図１２に示すように、第７の変形例の安全制御部２３は、停止〜加速状態（ステップＳ４０１）のとき、左右３列ずつの補助側小検知エリア４１のうち、１列目の戸尻５ａに最も近い１つずつのエリアのみを補助側有効検知エリア４１Ａに設定する。
【０１０９】
また、第７の変形例の安全制御部２３は、高速状態（ステップＳ４０２）のとき、ドア走行位置上の１列目の補助側小検知エリア４１のうち、開方向前方において戸尻５ａに近い３つずつのエリアを補助側有効検知エリア４１Ａに設定する。このとき、安全制御部２３は、１列目の補助側小検知エリア４１の前方の２列目の補助側小検知エリア４１のうち、開方向前方において戸尻５ａに近い２つずつのエリアも補助側有効検知エリア４１Ａに設定する。また、このとき、安全制御部２３は、２列目の補助側小検知エリア４１の前方の３列目の補助側小検知エリア４１のうち、開方向前方において戸尻５ａに最も近い１つずつのエリアも補助側有効検知エリア４１Ａに設定する。
【０１１０】
また、第７の変形例の安全制御部２３は、減速状態（ステップＳ４０３）のとき、１列目の補助側小検知エリア４１のうち、開方向前方において戸尻５ａに近い２つずつのエリアを補助側有効検知エリア４１Ａに設定する。このとき、安全制御部２３は、２列目の補助側小検知エリア４１のうち、開方向前方において戸尻５ａに最も近い１つずつのエリアも補助側有効検知エリア４１Ａに設定する。
【０１１１】
また、第７の変形例の安全制御部２３は、低速状態（ステップＳ４０４）のとき、補助側有効検知エリア４１Ａを設定しない。
【０１１２】
すなわち、第７の変形例では、ドア５の速度に応じて開方向前方およびドア５の正面方向に扇状の補助側有効検知エリア４１Ａを変化させる。
【０１１３】
第７の変形例によれば、通行性と、ドア５との衝突による衝撃力と、戸尻５ａに人が接近する方向とを考慮して、戸尻５ａの近傍に好適な大きさおよび形状の補助側有効検知エリア４１Ａを設定できるので、通行性を確保しつつ、図５の例よりも更に安全性を向上できる。
【０１１４】
（第８の変形例）
図１３は、本実施形態の第８の変形例による自動ドア１の動作例において、補助側有効検知エリア４１Ａの設定例を示す図である。
【０１１５】
図１３に示すように、第８の変形例において、左右１列ずつの補助側小検知エリア４１は、ドア走行位置上に配置された２区分毎の補助側小検知エリア４１で構成されている。第８の変形例の安全制御部２３は、２区分毎の補助側小検知エリア４１のうち、開方向において戸尻５ａに近い１区分ずつのエリアを補助側有効検知エリア４１Ａに設定する。
【０１１６】
図１３の例によれば、補助側検知エリア４０全体の大きさを確保したまま独立して補助側有効検知エリア４１Ａに設定する補助側小検知エリア４１の単位を削減できるので、戸尻５ａ側の安全性を確保しつつ、補助側有効検知エリア４１Ａの設定を簡便化することができる。
【０１１７】
（第９の変形例）
図１４は、本実施形態の第９の変形例による自動ドア１の動作例において、補助側有効検知エリア４１Ａの設定例を示す図である。
【０１１８】
図１４に示すように、第９の変形例において、左右１列ずつの補助側小検知エリア４１は、ドア走行位置の前方に配置された２区分毎の補助側小検知エリア４１で構成されている。第９の変形例の安全制御部２３は、２区分ずつの補助側小検知エリア４１のうち、開方向において戸尻５ａに近い１区分ずつのエリアを補助側有効検知エリア４１Ａに設定する。
【０１１９】
第９の変形例によれば、第２の変形例に対して、補助側検知エリア４０全体の大きさを確保したまま独立して補助側有効検知エリア４１Ａに設定する補助側小検知エリア４１の単位を削減できるので、戸尻５ａ側の安全性を確保しつつ、補助側有効検知エリア４１Ａの設定を簡便化することができる。
【０１２０】
図１５は、図１４に続く本実施形態の第９の変形例による自動ドア１の動作例において、補助側有効検知エリア４１Ａの設定例を示す図である。
【０１２１】
図１４では、ドア５の開き始めにおいて、開方向の内側および外側の左右２区分ずつの補助側小検知エリア４１のうち、開方向において戸尻５ａに近い内側の１区分ずつのエリアのみを補助側有効検知エリア４１Ａに設定する例について説明した。図１４の状態から、ドア５が開動作を進行して戸尻５ａが左右２区分ずつの補助側小検知エリア４１のうち開方向の外側の１区分ずつのエリア４１に達した場合、安全制御部２３は、開方向において戸尻５ａに近い外側の１区分ずつのエリア４１のみを補助側有効検知エリア４１Ａに設定してもよい。
【０１２２】
一方、図１５に示すように、安全制御部２３は、戸尻５ａが開方向の外側の１区分ずつの補助側小検知エリア４１ｂに達した場合、これら外側の１区分ずつの補助側小検知エリア４１ｂを補助側有効検知エリア４１Ａに設定するとともに、開方向の内側の１区分ずつの補助側小検知エリア４１ａを補助側有効検知エリア４１Ａに維持してもよい。
【０１２３】
図１５の例によれば、開方向の内側の１区分ずつの補助側小検知エリア４１ａを補助側有効検知エリア４１Ａに維持することで、ドア５が全開位置付近に達した場合でも、ドア５の側面（すなわち、前面）に当たろうとする人を検知することができる。  
【０１２４】
（第１０の変形例）
図１６は、本実施形態の第１０の変形例による自動ドア１の動作例において、補助側有効検知エリア４１Ａの設定例を示す図である。
【０１２５】
図１６に示すように、第１０の変形例の安全制御部２３は、補助側有効検知エリア４１Ａを高さ方向ｄ３において可変である。例えば、設置環境情報（図４のステップＳ４３）が、高齢者や子供の多い場所または時間帯を示す場合、安全制御部２３は、床面７から上方の所定距離（例えば、１００ｃｍ）までの領域を補助側有効検知エリア４１Ａ＿１に設定する。
【０１２６】
このような補助側有効検知エリア４１Ａ＿１が設定される場合、戸尻５ａとの衝突の回避能力が比較的劣る高齢者や子供を早期に検知できるとともに、それ以外の人の検知を回避できる。
【０１２７】
一方、設置環境情報が、高齢者や子供の多い場所または時間帯を示さない場合、安全制御部２３は、補助センサ部４で検知可能な高さ方向の全領域を補助側有効検知エリア４１Ａ＿２に設定してもよい。
【０１２８】
第１０の変形例によれば、高さ方向ｄ３で人の存在する範囲に補助側有効検知エリアを設定できるので、図５の例よりも更に効果的に安全性と通行性とを両立させることができる。
【０１２９】
（第１１の変形例）
次に、自動ドアセンサで補助側有効検知エリアの設定および補助センサ部の検知状況に応じたドア安全動作を行う第１１の変形例について説明する。図１７は、第１１の変形例による自動ドア１を示すブロック図である。
【０１３０】
図１の自動ドア１は、安全制御部２３が自動ドア装置２内に備えられ、自動ドア装置２において、補助側有効検知エリア４１Ａの設定および補助センサ部４の検知状況に応じたドア安全動作を実行する。
【０１３１】
これに対して、第１１の変形例の自動ドア１では、図１７に示すように、安全制御部２３および補助センサ部４が自動ドアセンサ１０内に備えられている。そして、自動ドアセンサ１０に備えられた安全制御部２３が、補助センサ部４の検知状況に応じたドア安全動作を実行する。
【０１３２】
第１１の変形例においても、図１の自動ドア１と同様に、補助側有効検知エリア４１Ａをドア５の戸尻５ａ側近傍のみに設定することで、安全性と通行性とを両立させることができる。
【０１３３】
（第１２の変形例）
次に、戸尻と壁との間への人の挟み込みを防止する第１２の変形例について説明する。図１８は、第１２の変形例による自動ドア１を示すブロック図である。図１９は、第１２の変形例による自動ドア１の動作例において、補助側有効検知エリア４１Ａの設定例を示す図である。
【０１３４】
これまでは、ドア５の開行程の所定の範囲として、開行程の全行程で補助センサ部４が検知状態となった場合にドア安全動作を実行する例について説明した。これに対して、第１２の変形例の自動ドア１は、ドア５の開行程の所定の範囲として、壁１２から所定範囲内で補助センサ部４が検知状態となった場合にドア安全動作を実行する。所定範囲は、例えば、安全距離である壁１２から２００ｍｍの範囲である。以下、具体的に説明する。
【０１３５】
図１８に示すように、第１２の変形例の自動ドア１は、第１１の変形例で説明した自動ドアセンサ１０内に、リミットスイッチ１１を備えている。
【０１３６】
リミットスイッチ１１は、開動作時において、戸尻５ａがドア５の側方に設けられている建物の壁１２（図２、図１９参照）から所定の距離Ｄよりも離間しているときは、オフしている（図１９のステップＳ４０１、Ｓ４０２）。
【０１３７】
一方、リミットスイッチ１１は、開動作時において、戸尻５ａが壁１２から所定の距離Ｄの位置に到達したときに、例えば、ドア５の所定の箇所で押圧されることでオンする（図１９のステップＳ４０３）。なお、図１９には、戸尻５ａの位置とリミットスイッチ１１のオンオフとの関係が分かりやすいように、リミットスイッチ１１を模式的に表現しているが、実際のリミットスイッチ１１の構造や大きさや位置は、図１９とは異なってよい。
【０１３８】
図１８に示すように、オン状態において、リミットスイッチ１１は、補助センサ部４に位置信号を出力する。補助センサ部４は、リミットスイッチ１１から位置信号が入力されると、補助側小検知エリア４１毎の検知状況を安全制御部２３に出力する。安全制御部２３は、補助センサ部４から補助側小検知エリア４１毎の検知状況が入力されると、上述した設定例に示される各種の手法で戸尻５ａ側近傍のみに補助側有効検知エリア４１Ａを設定する。安全制御部２３は、設定された補助側有効検知エリア４１Ａが検知状態となった場合に、ドア安全動作を駆動制御部２２に指令する。
【０１３９】
第１２の変形例によれば、戸尻５ａと壁１２との間の挟み込みを防止して安全性を確保できる。また、戸尻５ａが壁１２から所定距離Ｄに近付くまでは検知動作を行わないことで、通行性を確保できるとともに、検知動作（例えば、近赤外光の投光および受光など）に要する電力を削減できる。また投光素子の寿命を長くすることもできる。
【０１４０】
なお、リミットスイッチ１１は、戸尻５ａと壁１２との間の挟み込み防止以外の用途のために用いられてもよい。
【０１４１】
上述した実施形態および各変形例は、これらを適宜組み合わせてもよい。また、上述した構成以外にも種々の変形例を適用できる。例えば、設置環境情報（図４のＳ４３）が、モータ磁石の閾値以上の温度上昇や検知の死角がある旨を示す場合、補助側有効検知エリア４１Ａを開方向前方またはドア正面方向もしくはこれらの双方に拡大してもよい。また、設置環境情報が、海浜地帯、粉塵の多い場所などの制動力（例えば、ベルト式の場合のモータやベルトのテンション、自走式の場合のモータおよび戸車とレールとの間の摩擦力）が低下する環境を示す場合、補助側有効検知エリア４１Ａを拡大してもよい。また、戸尻５ａ側に進行する人の速度や大きさ（図４のステップＳ４４）に応じて、補助側有効検知エリア４１Ａを開方向前方またはドア正面方向もしくはこれらの双方に変化させてもよい。
【０１４２】
本開示の態様は、上述した個々の実施形態に限定されるものではなく、当業者が想到しうる種々の変形も含むものであり、本開示の効果も上述した内容に限定されない。すなわち、特許請求の範囲に規定された内容およびその均等物から導き出される本開示の概念的な思想と趣旨を逸脱しない範囲で種々の追加、変更および部分的削除が可能である。
【図１】
2018043511.tif 000003
【図２】
2018043511.tif 000004
【図３】
2018043511.tif 000005
【図４】
2018043511.tif 000006
【図５】
2018043511.tif 000007
【図６】
2018043511.tif 000008
【図７】
2018043511.tif 000009
【図８】
2018043511.tif 000010
【図９】
2018043511.tif 000011
【図１０】
2018043511.tif 000012
【図１１】
2018043511.tif 000013
【図１２】
2018043511.tif 000014
【図１３】
2018043511.tif 000015
【図１４】
2018043511.tif 000016
【図１５】
2018043511.tif 000017
【図１６】
2018043511.tif 000018
【図１７】
2018043511.tif 000019
【図１８】
2018043511.tif 000020
【図１９】
2018043511.tif 000021
【国際調査報告】
2018043511.tif 000022
2018043511.tif 000023
2018043511.tif 000024
2018043511.tif 000025